(57)【要約】【課題】  デジタルカメラの撮影パラメータが許容範囲内に収まっているか否かを、撮影時に容易に確認することができる情報処理装置を提供する。【解決手段】  パーソナルコンピュータ１２で写真撮影システム用プログラム４３が起動され、撮影工程に移行すると、ＣＰＵ４０には、判定回路４８が生成される。判定回路４８は、通信Ｉ／Ｆ４７を介してデジタルカメラ１０から送信される撮影パラメータが、ＨＤＤ４２に記憶された撮影パラメータの許容範囲内に収まっているか否かを判定する。また、撮影工程に移行すると、モニタ１３には、デジタルカメラ１０から送信される撮影パラメータ情報６４が撮影ウィンドウ６０上に表示される。撮影パラメータ情報６４上では、判定回路４８で許容範囲内に収まっていないと判定された撮影パラメータを、他のものと区別して表示する。【選択図】        図６
2006180404.tif 000002
【特許請求の範囲】
【請求項１】
撮影により得られた画像データを取り込んで、前記画像データで表される画像を表示するとともに、前記画像のプリント注文を受け付ける情報処理装置において、
前記撮影を行うデジタルカメラで設定された複数の撮影パラメータを取得するパラメータ取得手段と、
前記パラメータ取得手段で取得された撮影パラメータが、予め設定された撮影パラメータの許容範囲内に収まっているか否かを判定する判定手段と、
前記判定手段で前記許容範囲内に収まっていないと判定された場合に、その旨を報知する報知手段とを備えたことを特徴とする情報処理装置。
【請求項２】
前記報知手段は、前記判定手段で前記許容範囲内に収まっていないと判定された撮影パラメータを、他のものと区別して前記報知を行うことを特徴とする請求項１に記載の情報処理装置。
【発明の詳細な説明】
【技術分野】
【０００１】
本発明は、記念写真や商品の撮影を専門に行う写真スタジオに設置される写真撮影システムに用いられる情報処理装置に関する。
【背景技術】
【０００２】
最近、記念写真や商品の撮影を専門に行う写真スタジオに、デジタルカメラで撮影した画像をパーソナルコンピュータのモニタ上に表示し、その場で画像のプリント注文を受け付けることができるようにした写真撮影システムが導入されている（特許文献１参照）。
【特許文献１】特開２００２−１３９８０５号公報
【発明の開示】
【発明が解決しようとする課題】
【０００３】
ところで、上記のような写真スタジオの多くは、人件費を削減するため、専門のカメラマンを雇わずに、デジタルカメラの操作にあまり慣れていないアルバイトスタッフが撮影を行っている。このため、シャッタスピード、絞り、ホワイトバランスといった撮影パラメータが、写真スタジオで推奨する許容範囲から逸脱した状態で撮影が行われるおそれがあった。
【０００４】
特許文献１に記載の技術では、単に撮影した画像をモニタに表示するのみで、撮影パラメータが許容範囲内に収まっているか否かを撮影時に確認することができず、上記問題を解決することができない。
【０００５】
本発明は、上記課題を鑑みてなされたものであり、デジタルカメラの撮影パラメータが許容範囲内に収まっているか否かを、撮影時に容易に確認することができる情報処理装置を提供することを目的とする。
【課題を解決するための手段】
【０００６】
上記目的を達成するために、本発明は、撮影により得られた画像データを取り込んで、前記画像データで表される画像を表示するとともに、前記画像のプリント注文を受け付ける情報処理装置において、前記撮影を行うデジタルカメラで設定された複数の撮影パラメータを取得するパラメータ取得手段と、前記パラメータ取得手段で取得された撮影パラメータが、予め設定された撮影パラメータの許容範囲内に収まっているか否かを判定する判定手段と、前記判定手段で前記許容範囲内に収まっていないと判定された場合に、その旨を報知する報知手段とを備えたことを特徴とする。
【０００７】
なお、前記報知手段は、前記判定手段で前記許容範囲内に収まっていないと判定された撮影パラメータを、他のものと区別して前記報知を行うことが好ましい。
【発明の効果】
【０００８】
本発明の情報処理装置によれば、撮影を行うデジタルカメラで設定された複数の撮影パラメータを取得するパラメータ取得手段と、パラメータ取得手段で取得された撮影パラメータが、予め設定された撮影パラメータの許容範囲内に収まっているか否かを判定する判定手段と、判定手段で許容範囲内に収まっていないと判定された場合に、その旨を報知する報知手段とを備えたので、デジタルカメラの撮影パラメータが許容範囲内に収まっているか否かを、撮影時に容易に確認することができる。したがって、写真撮影システムの利便性を向上させることができる。
【発明を実施するための最良の形態】
【０００９】
図１において、写真撮影システム２は、婚礼や七五三などの記念撮影や商品撮影を専門に取り扱う写真スタジオに設置され、デジタルカメラ１０で撮影して得られた画像データ、あるいは、メモリカードやＣＤ−Ｒなどの記録媒体１１に記録された画像データ（写真フイルムをＴＩＦＦまたはＪＰＥＧ形式でデジタイズしたものも含む）をパーソナルコンピュータ（以下、ＰＣと略す）１２に取り込み、画像をＰＣ１２のモニタ１３上に表示して画像のプリント注文を受け付け、写真スタジオに備え付けのプリンタ１４や、プリントラボ１５に設置された業務用プリンタ１６で、注文内容に応じたプリントを作成するものである。
【００１０】
デジタルカメラ１０、プリンタ１４、および業務用プリンタ１６は、例えば、ＩＥＥＥ１３９４、ＵＳＢ（Universal Serial Bus）などに準拠した通信ケーブルや、無線ＬＡＮなどによりＰＣ１２に接続され、ＰＣ１２とのデータの相互通信が可能となっている。また、記録媒体１１も同様に、専用のドライバを介してＰＣ１２とのデータの遣り取りが可能となっている。
【００１１】
デジタルカメラ１０の内部構成を示す図２において、ＣＰＵ２０は、データバス２１を介して各部に接続され、デジタルカメラ１０全体の動作を統括的に制御する。ＲＯＭ２２には、デジタルカメラ１０を動作させるための各種プログラムやデータが記憶されている。ＣＰＵ２０は、これらのプログラムやデータをＲＯＭ２２から作業用メモリであるＲＡＭ２３に読み出して、各種処理を実行する。また、ＣＰＵ２０は、シャッタレリーズを行わせるためのレリーズボタンや、シャッタスピード、絞り、シャッタ速度、ズーム倍率、撮影感度などの撮影パラメータを設定するための各種設定ボタンで構成される操作部２４からの入力を受けて、デジタルカメラ１０の各部を動作させる。
【００１２】
撮像部２５は、周知の撮像レンズやＣＣＤを備え、被写体の光学像を光電変換してデジタルの画像データを出力する。撮像部２５から出力された画像データは、ＲＡＭ２３に一旦格納される。この画像データは、ホワイトバランス処理などの画像処理が施されていない原画像データ（ＲＡＷデータ）であり、例えば、ＲＧＢの色毎に１２ビットで表現される階調値を持った多数の画素データから構成される。
【００１３】
画像処理回路２６は、ＲＡＭ２３から原画像データを読み出して、ＲＧＢの色毎の階調値を８ビットに縮小するとともに、ホワイトバランス処理や階調変換処理などの適当な画像処理を施す。
【００１４】
圧縮・伸長処理回路２７は、画像処理回路２６で画像処理が施された画像データに対して、ＪＰＥＧで定められたフォーマットに従って圧縮処理を施し、圧縮画像データを出力する。また、画像処理済みの画像データに間引き演算を施すことで、例えば、１２８０×９６０ピクセルのＪＰＥＧ画像データ（サムネイル画像データ）を出力する。圧縮・伸長処理回路２７で圧縮処理された画像データは、メディアコントローラ２８を経由してメモリカード２９に記録される。
【００１５】
ＬＣＤ３０は、ＬＣＤドライバ３１の制御の下に、被写体像のスルー画像を表示するとともに、撮影した画像を再生表示する。通信Ｉ／Ｆ３２は、撮像部２５から出力された原画像データ、圧縮・伸長処理回路２７から出力された圧縮画像データおよびサムネイル画像データ、並びに、操作部４５で設定される撮影パラメータを、前述の通信ケーブルや無線ＬＡＮを介してＰＣ１２に送信する。
【００１６】
ＰＣ１２の内部構成を示す図３において、ＣＰＵ４０は、データバス４１を介して各部に接続され、ＰＣ１２全体の動作を統括的に制御する。ハードディスクドライブ（ＨＤＤ）４２には、ＰＣ１２を動作させるための各種プログラムやデータの他に、写真撮影システム用プログラム（以下、単にプログラムという）４３が記憶されている。なお、ＨＤＤ４２に記憶されるデータには、デジタルカメラ１０から送信された画像データや、この画像データと関連付けて記憶され、後述する顧客の個人情報やプリント注文の内容などの顧客管理データ、デジタルカメラ１０の撮影パラメータの許容範囲（その写真スタジオが推奨する仕上がりのプリントを得るために少なくとも必要な範囲）を表すデータがある。
【００１７】
プログラム４３は、デジタルカメラ１０による撮影から、記録媒体１１からの画像データの取り込み、顧客へのプレゼンテーションおよびプリント注文する画像の選択、トリミングや色調整などの検定、プリント注文、発注、照合までの工程を、ＰＣ１２で一括して処理することができるようにしたものであり、ＣＤ−ＲＯＭ、ＤＶＤ−ＲＯＭなどの記録媒体からＨＤＤ４２にインストールされる。
【００１８】
ＣＰＵ４０は、プログラムやデータをＨＤＤ４２から作業用メモリであるＲＡＭ４４に読み出して、各種処理を実行する。また、ＣＰＵ４０は、キーボードやマウスからなる操作部４５からの入力を受けて、ＰＣ１２の各部を動作させる。
【００１９】
モニタ１３は、モニタドライバ４６の制御の下に、後述する顧客管理ウィンドウ５０（図４参照）や、撮影ウィンドウ６０（図５参照）を表示する。通信Ｉ／Ｆ４７は、デジタルカメラ１０や記録媒体１１から送信される画像データの受信とともに、プリンタ１４や業務用プリンタ１６へのプリント指令の送信を媒介する。
【００２０】
操作部４５が操作されてプログラム４３が起動されると、モニタ１３には、図４に示す顧客管理ウィンドウ５０が表示される。顧客管理ウィンドウ５０は、操作部４５からの操作入力により、新規顧客の登録や登録内容の修正、削除、顧客の検索などを行うためのもので、写真撮影システム２の顧客の個人情報（オーダーＩＤ、受付ＩＤ、氏名、電話番号）とともに、撮影日時、撮影内容（婚礼、七五三、赤ちゃんなど）、工程の進行状況などが一覧５１として表示される。また、顧客管理ウィンドウ５０の上部には、対象となっている顧客の情報５２が表示される。対象となっている顧客は、一覧５１上でカーソル５３（図中ハッチングで示す）により他の顧客と区別される。
【００２１】
顧客管理ウィンドウ５０の下部には、各工程に移行するためのボタン群（「撮影」、「取り込み」、「選択」、「注文」、「合成」、「検定」、「ラボ発注」、「自家処理」、および「照合」ボタン）５４が配されており、操作部４５のマウスのポインタ５５を、これらのボタン群５４のいずれかに合わせてクリックすることで、対応する工程に移行するとともに、各工程用のウィンドウに表示が切り替わる。
【００２２】
「撮影」ボタンが選択されると、デジタルカメラ１０による被写体の撮影を補助する撮影工程に移行する。図３に示すように、撮影工程に移行すると、ＣＰＵ４０には、判定回路４８が生成される。判定回路４８は、通信Ｉ／Ｆ４７を介してデジタルカメラ１０から送信される撮影パラメータが、ＨＤＤ４２に記憶された撮影パラメータの許容範囲内に収まっているか否かを判定する。
【００２３】
また、撮影工程に移行すると、モニタ１３には、図５に示す撮影ウィンドウ６０が表示される。撮影ウィンドウ６０には、圧縮画像データで表される画像の全体６１や、画像内の人物の顔の画像６２、撮影済みのサムネイル画像の一覧６３などとともに、デジタルカメラ１０から送信される撮影パラメータ情報６４が表示される。
【００２４】
図６に示すように、撮影パラメータ情報６４上では、判定回路４８で許容範囲内に収まっていないと判定された撮影パラメータ（この例ではホワイトバランス；ＷＢ）を、他のものと区別して表示する（図中ハッチングで示す）。なお、判定回路４８で許容範囲内に収まっていないと判定された撮影パラメータを他のものと区別して表示する方法としては、例えば、表示色を変える、点滅、拡大など、種々の方法を用いることができる。
【００２５】
図４に戻って、「取り込み」ボタンが選択されると、記録媒体１１から画像データを取り込む取り込み工程に移行する。「選択」ボタンが選択されると、画像をモニタ１３にプレビュー表示し、プリント注文をする画像を顧客に選択させる選択工程に移行する。
【００２６】
「注文」ボタンが選択されると、選択工程で選択された画像のプリントサイズ、プリント枚数などを入力する注文工程に移行する。「合成」ボタンが選択されると、選択工程で選択された画像を規定のレイアウト枠に配置して、オリジナルのフォトアルバムを作成する合成工程に移行する。「検定」ボタンが選択されると、写真撮影システム２が設置された写真スタジオで推奨する仕上がりとなるように、画像データに色補正や階調補正を施す検定工程に移行する。
【００２７】
「ラボ発注」ボタンが選択されると、注文工程で設定されたプリントサイズおよびプリント枚数にて、選択工程で選択された画像のプリント注文をプリントラボ１５の業務用プリンタ１６に発注するラボ発注工程に移行する。「自家処理」ボタンが選択されると、プリント注文をプリンタ１４に発注する自家処理工程に移行する。「照合」ボタンが選択されると、プリントラボ１５の業務用プリンタ１６に発注したプリントが写真スタジオに納品されたときに、プリントの内容確認・照合を行うためのインデックスプリントを作成する照合工程に移行する。
【００２８】
次に、上記構成を有する写真撮影システム２の処理手順について、図７のフローチャートを参照して説明する。まず、ＰＣ１２とデジタルカメラ１０、プリンタ１４、および業務用プリンタ１６とを相互通信可能なように接続し、写真撮影システム２を構築する。
【００２９】
次いで、操作部４５を操作してプログラム４３を起動し、モニタ１３に顧客管理ウィンドウ５０を表示させる。顧客管理ウィンドウ５０では、新規顧客の登録や登録内容の修正、削除、顧客の検索などが行われる。
【００３０】
図７に示すように、「撮影」ボタンが選択されて撮影工程に移行すると、ＣＰＵ４０に判定回路４８が生成される。デジタルカメラ１０による撮影が開始されると、原画像データ、圧縮画像データ、およびサムネイル画像データが、通信Ｉ／Ｆ４７を経由してＨＤＤ４２に記憶される。また、デジタルカメラ１０の撮影パラメータが随時送信される。
【００３１】
判定回路４８では、デジタルカメラ１０から送信された撮影パラメータが、ＨＤＤ４２に記憶された撮影パラメータの許容範囲内に収まっているか否かが判定される。判定回路４８で許容範囲内に収まっていないと判定された撮影パラメータは、撮影ウィンドウ６０の撮影パラメータ情報６４上で、他のものと区別して表示される。デジタルカメラ１０のカメラマンは、他のものと区別して表示された撮影パラメータが許容範囲内に収まるように、デジタルカメラ１０の操作部４５を操作して撮影パラメータを変更する。
【００３２】
取り込み工程では、記録媒体１１からの画像データの取り込みが行われる。選択工程では、画像がモニタ１３にプレビュー表示され、プリント注文をする画像の選択が行われる。
【００３３】
注文工程では、選択工程で選択された画像のプリントサイズ、プリント枚数などの入力が行われる。合成工程では、オリジナルのフォトアルバムの作成が行われる。検定工程では、写真撮影システム２が設置された写真スタジオで推奨する仕上がりとなるような色補正や階調補正が行われる。
【００３４】
ラボ発注工程では、注文工程で設定されたプリントサイズおよびプリント枚数にて、プリントラボ１５の業務用プリンタ１６へのプリント注文の発注が行われる。自家処理工程では、プリンタ１４へのプリント注文の発注が行われる。照合工程では、プリントラボ１５の業務用プリンタ１６に発注したプリントが写真スタジオに納品されたときに、プリントの内容確認・照合を行うためのインデックスプリントの作成が行われる。
【００３５】
プリンタ１４、または業務用プリンタ１６では、ＰＣ１２からのプリント指令を受けて、プリント注文に応じたプリント処理が行われる。
【００３６】
以上説明したように、デジタルカメラ１０で設定された複数の撮影パラメータを通信Ｉ／Ｆ４７を介して取得し、取得された撮影パラメータが、予め設定された撮影パラメータの許容範囲内に収まっているか否かを判定回路４８で判定するとともに、判定回路４８で許容範囲内に収まっていないと判定された撮影パラメータを、他のものと区別して表示するので、デジタルカメラ１０の撮影パラメータが許容範囲内に収まっているか否かを、撮影時に容易に確認することができる。したがって、写真撮影システム２の利便性を向上させることができる。
【００３７】
なお、撮影パラメータの許容範囲は、写真スタジオの管理者、あるいは写真撮影システムの設置時に立ち会う業者のサービスマンなど、撮影の知識を持った者が設定することが好ましい。また、婚礼、七五三などの撮影内容に応じて設定することが好ましい。
【００３８】
また、デジタルカメラ１０からＰＣ１２に撮影パラメータを送信するタイミングとしては、上記実施形態のように随時送信させてもよいし、操作部４５で撮影パラメータが変更されたことを検知した場合のみ送信させてもよい。
【００３９】
なお、操作の簡便化を図るために、モニタ１３をタッチパネルで構成し、モニタ１３の画面に顧客が指を接触させることで、各種選択操作を行わせるようにしてもよい。
【００４０】
上記実施形態では、撮影パラメータ情報６４上で他のものと区別して表示することで、判定回路４８で撮影パラメータが許容範囲内に収まっていないと判定されたことを報知しているが、本発明はこれに限定されず、例えば、許容範囲内に収まっていない撮影パラメータの名称を記したポップアップウィンドウや、ビープ音、音声アナウンス、振動などを用いて報知を行ってもよい。
【図面の簡単な説明】
【００４１】
【図１】写真撮影システムの構成を示す概略図である。
【図２】デジタルカメラの内部構成を示すブロック図である。
【図３】パーソナルコンピュータの内部構成を示すブロック図である。
【図４】顧客管理ウィンドウを示す説明図である。
【図５】撮影ウィンドウを示す説明図である。
【図６】撮影パラメータ情報を示す説明図である。
【図７】写真撮影システムの撮影工程における処理手順を示すフローチャートである。
【符号の説明】
【００４２】
２  写真撮影システム
１０  デジタルカメラ
１２  パーソナルコンピュータ（ＰＣ、情報処理装置）
１３  モニタ
２０  ＣＰＵ
２５  撮像部
４０  ＣＰＵ
４３  写真撮影システム用プログラム（プログラム）
４８  判定回路
５０  顧客管理ウィンドウ
６０  撮影ウィンドウ
６４  撮影パラメータ情報
【図１】
2006180404.tif 000003
【図２】
2006180404.tif 000004
【図３】
2006180404.tif 000005
【図４】
2006180404.tif 000006
【図５】
2006180404.tif 000007
【図６】
2006180404.tif 000008
【図７】
2006180404.tif 000009